(57)【要約】【課題】屋根葺材にビスなどの固定具を貫通させることなく、パネル用架台を屋根に固定できる、架台設置構造および設置物固定用ブラケットを提供する。また、屋根葺材にビスなどの固定具を貫通させることなく、パネル用の架台などの設置物を屋根に固定できる、設置物固定用ブラケットを提供する。【解決手段】パネル用架台１１は、縦材固定用ブラケット２１を用いて、スレート６に固定される。縦材固定用ブラケット２１は、挿入固定部２３および架台固定部２４を備えている。挿入固定部２３は、互いに上下に重なり合うスレート６間に挿入されて、接着剤により、その上下のスレート６に固定される。架台固定部２４には、パネル用架台１１の第１縦鋼材１４または第２縦鋼材１６が固定される。【選択図】図６
2017048607.tif 000002
【特許請求の範囲】
【請求項１】
複数枚の屋根葺材が流れ方向に並べられて、流れ方向上流側の前記屋根葺材が流れ方向下流側の前記屋根葺材に部分的に上から重なるように葺かれた屋根上に、太陽光を受光するパネルの架台を設置する構造であって、
前記架台は、前記屋根の棟を跨ぐ両側で重量の釣り合いが取れるように構成され、固定用ブラケットを用いて前記屋根葺材に固定されており、
前記固定用ブラケットは、
前記架台が固定される架台固定部と、
前記架台固定部と一体的に設けられ、互いに重なり合う前記屋根葺材間に挿入されて、その上下の前記屋根葺材に接着剤によって固定される挿入固定部とを有している、架台設置構造。
【請求項２】
前記挿入固定部には、厚さ方向に貫通する開口が形成されている、請求項１に記載の架台設置構造。
【請求項３】
複数枚の屋根葺材が流れ方向に並べられて、流れ方向上流側の前記屋根葺材が流れ方向下流側の前記屋根葺材に部分的に上から重なるように葺かれた屋根上に、設置物を設置するために用いられる設置物固定用ブラケットであって、
前記設置物が固定される設置物固定部と、
前記設置物固定部と一体的に設けられ、互いに重なり合う前記屋根葺材間に挿入されて、その上下の前記屋根葺材に接着剤によって固定される挿入固定部とを有している、設置物固定用ブラケット。
【請求項４】
前記挿入固定部には、厚さ方向に貫通する開口が形成されている、請求項３に記載の設置物固定用ブラケット。
【発明の詳細な説明】
【技術分野】
【０００１】
本発明は、太陽光を受光するパネル（ソーラパネル、太陽熱温水パネル）などの架台を屋根上に設置する構造およびその設置に用いることができる設置物固定用ブラケットに関する。
【背景技術】
【０００２】
近年、環境保護の観点などから、自然エネルギーを利用したクリーンな発電方式の１つである太陽光発電が注目されており、一般の住宅への太陽光発電システムの導入が進んでいる。
【０００３】
住宅用の太陽光発電システムでは、住宅の屋根上にソーラパネル（太陽電池モジュール）が設置される。たとえば、複数の固定部材を屋根に固定し、複数の縦フレームを屋根の勾配方向に沿わせて固定部材に固定した後、複数の横フレームを縦フレームに直交させて縦フレーム上に固定して、横フレーム間にソーラパネルを取り付けることにより、既設住宅の屋根上にソーラパネルを設置することができる（特許文献１参照）。
【先行技術文献】
【特許文献】
【０００４】
【特許文献１】特開２００９−９１８１１号公報
【発明の概要】
【発明が解決しようとする課題】
【０００５】
ところが、固定部材を屋根に固定するために、ビスが用いられる。ビスは、スレート板などの屋根葺材および野地板を貫通して、垂木にねじ込まれる。そのため、ビスの周囲に雨水の浸入を防止するためのコーキングを施す必要があり、ソーラパネルの設置作業に時間がかかる。また、コーキングが不十分であると、ビスの周囲から雨水が進入し（雨水がビスの表面を伝い）、雨漏りが生じる。コーキングが十分になされた場合であっても、シーリング材の経時劣化により、雨漏りを生じるおそれがある。
【０００６】
本発明の目的は、屋根葺材にビスなどの固定具を貫通させることなく、パネル用の架台を屋根に固定できる、架台設置構造を提供することである。
【０００７】
また、本発明の他の目的は、屋根葺材にビスなどの固定具を貫通させることなく、パネル用の架台などの設置物を屋根に固定できる、設置物固定用ブラケットを提供することである。
【課題を解決するための手段】
【０００８】
前記の目的を達成するため、本発明に係る架台設置構造は、複数枚の屋根葺材が流れ方向に並べられて、流れ方向上流側の屋根葺材が流れ方向下流側の屋根葺材に部分的に上から重なるように葺かれた屋根上に、太陽光を受光するパネルの架台を設置する構造であって、架台は、屋根の棟を跨ぐ両側で重量の釣り合いが取れるように構成され、固定用ブラケットを用いて屋根葺材に固定されており、固定用ブラケットは、架台が固定される架台固定部と、架台固定部と一体的に設けられ、互いに重なり合う屋根葺材間に挿入されて、その上下の屋根葺材に接着剤によって固定される挿入固定部とを有している。
【０００９】
この構造によれば、架台は、屋根の棟を跨ぐ両側で重量の釣り合いが取れるように構成されている。そのため、屋根上に架台を設置する際および架台の設置後のいずれにおいても、架台が流れ方向にずれにくく、架台が屋根上から落下するおそれが小さい。よって、作業者が屋根上に架台を容易に設置することができ、架台にパネルを容易に取り付けることができる。
【００１０】
架台は、固定用ブラケットを用いて屋根葺材に固定される。固定用ブラケットは、架台固定部および挿入固定部を備えている。架台固定部には、架台が固定される。挿入固定部は、互いに重なり合う屋根葺材間に挿入されて、接着剤により、その上下の屋根葺材に固定される。架台の重量が屋根の棟を跨ぐ両側で釣り合い、架台が流れ方向にずれにくいので、挿入固定部が接着剤により屋根葺材に固定されていても、屋根葺材に対する挿入固定部の固定が外れるおそれがなく、また、屋根葺材が野地板から剥がれるおそれがない。
【００１１】
そして、屋根葺材にビスなどの固定具を貫通させることなく、架台を屋根に対して固定することができるので、従来必要とされたコーキング作業を不要とすることができ、架台の設置作業にかかる時間および手間を軽減することができる。また、ビスなどの固定具が屋根葺材に貫通されないので、その固定具を雨水が伝うことによる雨漏りの発生を抑制することができる。
【００１２】
さらには、上下の屋根葺材の間で固定用ブラケットの挿入固定部が接着剤により固定されるので、その接着剤が日光および雨水などに曝されることによる劣化を抑制でき、接着剤による接合力を長期間にわたって維持することができる。
【００１３】
本発明の他の局面に係る設置物固定用ブラケットは、複数枚の屋根葺材が流れ方向に並べられて、流れ方向上流側の屋根葺材が流れ方向下流側の屋根葺材に部分的に上から重なるように葺かれた屋根上に、設置物を設置するために用いられる設置物固定用ブラケットであって、設置物が固定される設置物固定部と、設置物固定部と一体的に設けられ、互いに重なり合う屋根葺材間に挿入されて、その上下の屋根葺材に接着剤によって固定される挿入固定部とを有している。
【００１４】
この構成によれば、固定用ブラケットは、設置物固定部および挿入固定部を備えている。設置物固定部には、設置物が固定される。挿入固定部は、互いに重なり合う屋根葺材間に挿入されて、接着剤により、その上下の屋根葺材に固定される。
【００１５】
これにより、屋根葺材にビスなどの固定具を貫通させることなく、設置物を屋根に対して固定することができる。よって、屋根葺材に固定具を貫通させる構成に必須であるコーキング作業を不要とすることができ、設置物の設置作業にかかる時間および手間を軽減することができる。また、ビスなどの固定具が屋根葺材に貫通されないので、その固定具を雨水が伝うことによる雨漏りの発生を抑制することができる。
【００１６】
さらには、上下の屋根葺材の間で固定用ブラケットの挿入固定部が接着剤により固定されるので、その接着剤が日光および雨水などに曝されることによる劣化を抑制でき、接着剤による接合力を長期間にわたって維持することができる。
【００１７】
挿入固定部には、厚さ方向に貫通する開口が形成されていてもよい。
【００１８】
これにより、上下の屋根葺材が挿入固定部の開口内で接着剤により互いに接合されるので、挿入固定部は、接着剤により上下の屋根葺材に固定されるとともに、開口内で上下の屋根葺材を接合する接着剤に係止される。よって、挿入固定部を屋根葺材に対して強固に固定することができ、固定用ブラケットが屋根葺材に対してずれることを一層抑制することができる。
【発明の効果】
【００１９】
本発明によれば、屋根葺材にビスなどの固定具を貫通させることなく、パネル用の架台などの設置物を屋根に固定することができる。
【図面の簡単な説明】
【００２０】
【図１Ａ】既設住宅の屋根上におけるソーラパネルの設置状態を示す斜視図であり、第１平部側から見た斜視図である。
【図１Ｂ】既設住宅の屋根上におけるソーラパネルの設置状態を示す斜視図であり、第２平部側から見た斜視図である。
【図２Ａ】本発明の一実施形態に係る架台設置構造を示す斜視図であり、第１平部側から見た斜視図である。
【図２Ｂ】架台設置構造を示す斜視図であり、第２平部側から見た斜視図である。
【図３】縦材固定用ブラケットの斜視図である。
【図４】横材固定用ブラケット（その１）の斜視図である。
【図５】横材固定用ブラケット（その２）の斜視図である。
【図６】屋根の断面図であり、架台設置構造を示す。
【発明を実施するための形態】
【００２１】
以下では、本発明の実施の形態について、添付図面を参照しつつ詳細に説明する。
【００２２】
＜ソーラパネルの設置状態＞
【００２３】
図１Ａおよび図１Ｂは、既設住宅１の屋根２上におけるソーラパネル７の設置状態を示す斜視図である。
【００２４】
既設住宅１の屋根２は、棟３の両側に平部（流れ）４，５を有する切妻屋根であって、複数枚のスレート６により葺かれたスレート葺きの屋根である。複数枚のスレート６は、流れ方向に並べられて、流れ方向上流側のスレート６が流れ方向下流側のスレート６に部分的に上から重なるように設けられている。
【００２５】
ソーラパネル（太陽電池モジュール）７は、各平部４，５上に、それぞれ同数で同サイズに設置されている。
【００２６】
なお、屋根２は、切妻屋根に限らず、寄棟屋根であってもよい。また、以下の説明において、平部４，５を区別する際には、平部４を「第１平部４」といい、平部５を「第２平部５」という。
【００２７】
＜架台設置構造＞
【００２８】
図２Ａおよび図２Ｂは、本発明の一実施形態に係る架台設置構造を示す斜視図である。
【００２９】
ソーラパネル７を屋根２上に設置するため、屋根２上には、パネル用架台１１が設置される。パネル用架台１１は、複数本（この実施形態では、２本）の第１アーム１２、第１アーム１２と同数本の第２アーム１３、第１アーム１２と同数本の第１縦鋼材１４、複数本（この実施形態では、３本）の第１横鋼材１５、第２アーム１３と同数本の第２縦鋼材１６および複数本（この実施形態では、３本）の第２横鋼材１７を備えている。
【００３０】
第１アーム１２および第２アーム１３は、断面角形の鋼管からなる。第１アーム１２および第２アーム１３は、それぞれ第１平部４および第２平部５上に、梁間方向に互いに対向して配置されている。第１アーム１２は、第１平部４上で上下方向に延び、途中部が屈曲して、その上端部が棟３の上方に位置している。第２アーム１３は、第２平部５上で上下方向に延び、途中部が屈曲して、その上端部が棟３の上方に位置している。第１アーム１２の上端部と第２アームの上端部とは、桁行方向に対向し、桁行方向に延びる回動軸線を中心に相対回動可能に連結されている。そして、第１アーム１２および第２アーム１３には、梁間方向に延びるねじ軸からなる固定軸１８が貫通されており、第１アーム１２および第２アーム１３をそれぞれ両側から挟むようにナットが螺合されることにより、第１アーム１２および第２アーム１３の開き角度が固定されている。
【００３１】
第１縦鋼材１４は、断面略コ字状の溝形鋼または断面角形の鋼管からなり、各第１アーム１２の下端から流れ方向に延びている。また、第１縦鋼材１４は、断面略コ字状の溝形鋼からなる場合、断面略コ字状の開放端が桁行方向を向くように設けられる。第１アーム１２の下端部と第１縦鋼材１４の上端部とは、溶接またはボルトおよびナットにより連結されている。
【００３２】
第１横鋼材１５は、断面略コ字状の溝形鋼または断面角形の鋼管からなる。第１横鋼材１５は、第１縦鋼材１４上に流れ方向に互いに間隔を空けて配置され、それぞれ桁行方向に延びて、複数本の第１縦鋼材１４に跨がっている。また、第１横鋼材１５は、断面略コ字状の溝形鋼からなる場合、断面略コ字状の開放端が流れ方向を向くように設けられる。各第１横鋼材１５は、溶接またはボルトおよびナットにより、第１縦鋼材１４に固定されている。
【００３３】
第２縦鋼材１６は、断面略コ字状の溝形鋼または断面角形の鋼管からなり、各第２アーム１３の下端から流れ方向に延びている。また、第２縦鋼材１６は、断面略コ字状の溝形鋼からなる場合、断面略コ字状の開放端が桁行方向を向くように設けられる。第２アーム１３の下端部と第２縦鋼材１６の上端部とは、溶接またはボルトおよびナットにより連結されている。
【００３４】
第２横鋼材１７は、断面略コ字状の溝形鋼または断面角形の鋼管からなる。第２横鋼材１７は、第２縦鋼材１６上に流れ方向に互いに間隔を空けて配置され、それぞれ桁行方向に延びて、複数本の第２縦鋼材１６に跨がっている。また、第２横鋼材１７は、断面略コ字状の溝形鋼からなる場合、断面略コ字状の開放端が流れ方向を向くように設けられる。各第２横鋼材１７は、溶接またはボルトおよびナットにより、第２縦鋼材１６に固定されている。
【００３５】
第１アーム１２と第２アーム１３とは、ほぼ同じ重量を有し、第１縦鋼材１４と第２縦鋼材１６とは、ほぼ同じ重量を有し、第１横鋼材１５と第２横鋼材１７とは、ほぼ同じ重量を有している。これにより、第１平部４上に設けられる第１アーム１２、第１縦鋼材１４および第１横鋼材１５からなる構造物と、第２平部５上に設けられる第２アーム１３、第２縦鋼材１６および第２横鋼材１７からなる構造物とは、重量がほぼ同じであり、パネル用架台１１は、棟３を跨ぐ両側で重量の釣り合いが取れている。
【００３６】
パネル用架台１１は、複数個の縦材固定用ブラケット２１および複数個の横材固定用ブラケット３１，４１を用いて、スレート６に固定されている。
【００３７】
＜固定用ブラケット＞
【００３８】
図３は、縦材固定用ブラケット２１の斜視図である。
【００３９】
縦材固定用ブラケット２１は、板金を屈曲させて形成されており、連結部２２、挿入固定部２３および架台固定部２４を一体に備えている。
【００４０】
連結部２２は、四角板状に形成されている。
【００４１】
挿入固定部２３は、連結部２２と所定方向に連続する四角板状に形成されている。挿入固定部２３の中央には、開口２５が厚さ方向に貫通して形成されている。図３には、開口２５の形状として、矩形状が示されているが、矩形状に限らず、円形状、楕円形状、三角形状または五角形以上の多角形状であってもよい。
【００４２】
以下、所定方向を「第１方向」とし、第１方向および連結部２２の厚さ方向の両方向と直交する方向を「第２方向」とする。
【００４３】
架台固定部２４は、連結部２２の第２方向の一端縁から連結部２２と直交する方向に立ち上がる四角板状に形成されている。架台固定部２４には、複数のビス穴２６が厚さ方向に貫通して形成されている。
【００４４】
図４は、横材固定用ブラケット３１の斜視図である。
【００４５】
横材固定用ブラケット３１は、板金を屈曲させて形成されており、連結部３２、挿入固定部３３および架台固定部３４を一体に備えている。
【００４６】
連結部３２は、四角板状に形成されている。
【００４７】
挿入固定部３３は、連結部３２と第１方向に連続する四角板状に形成されている。挿入固定部３３の中央には、開口３５が厚さ方向に貫通して形成されている。図４には、開口３５の形状として、矩形状が示されているが、矩形状に限らず、円形状、楕円形状、三角形状または五角形以上の多角形状であってもよい。
【００４８】
架台固定部３４は、連結部３２の第１方向の端縁、つまり挿入固定部３３側と反対側の端縁から連結部３２と直交する方向に立ち上がる四角板状に形成されている。架台固定部３４の上端部には、複数のビス穴３６が厚さ方向に貫通して形成されている。
【００４９】
図５は、横材固定用ブラケット４１の斜視図である。
【００５０】
横材固定用ブラケット４１は、板金を屈曲させて形成されており、連結部４２、挿入固定部４３および架台固定部４４を一体に備えている。
【００５１】
連結部４２は、四角板状に形成されている。
【００５２】
挿入固定部４３は、連結部４２と第１方向に連続する四角板状に形成されている。挿入固定部４３の中央には、開口４５が厚さ方向に貫通して形成されている。図５には、開口４５の形状として、矩形状が示されているが、矩形状に限らず、円形状、楕円形状、三角形状または五角形以上の多角形状であってもよい。
【００５３】
架台固定部４４は、連結部４２の第１方向の端縁、つまり挿入固定部４３側と反対側の端縁から連結部４２と直交する方向に立ち上がっている。架台固定部４４は、途中部が第１方向の挿入固定部４３側に屈曲し、さらに上側に屈曲するクランク状に形成されている。架台固定部４４の上端部には、複数のビス穴４６が厚さ方向に貫通して形成されている。
【００５４】
＜パネル用架台の固定＞
【００５５】
図６は、屋根２の断面図である。
【００５６】
縦材固定用ブラケット２１は、屋根２上に、第１方向を流れ方向に沿わせて配置される。縦材固定用ブラケット２１の挿入固定部２３は、互いに上下に重なり合うスレート６間に挿入されて、接着剤により、その上下のスレート６に固定される。接着剤は、挿入固定部２３がスレート６間に差し込まれる前に、挿入固定部２３の両面に塗布されるか、および／または、スレート６間に注入される。一方、縦材固定用ブラケット２１の架台固定部２４は、第１縦鋼材１４または第２縦鋼材１６に当接される。そして、架台固定部２４のビス穴２６にビスが挿通され、そのビスが第１縦鋼材１４または第２縦鋼材１６にねじ込まれることによって、架台固定部２４が第１縦鋼材１４または第２縦鋼材１６に固定される。
【００５７】
これにより、第１縦鋼材１４および第２縦鋼材１６は、縦材固定用ブラケット２１を介して、スレート６に固定される。
【００５８】
横材固定用ブラケット３１は、屋根２上に、第１方向を流れ方向に沿わせて配置される。横材固定用ブラケット３１の挿入固定部３３は、互いに上下に重なり合うスレート６間に挿入されて、接着剤により、その上下のスレート６に固定される。接着剤は、挿入固定部３３がスレート６間に差し込まれる前に、挿入固定部３３の両面に塗布されるか、および／または、スレート６間に注入される。一方、横材固定用ブラケット３１の架台固定部３４は、第１横鋼材１５または第２横鋼材１７に当接される。そして、架台固定部３４のビス穴３６にビスが挿通され、そのビスが第１横鋼材１５または第２横鋼材１７にねじ込まれることによって、架台固定部３４が第１横鋼材１５または第２横鋼材１７に固定される。
【００５９】
横材固定用ブラケット４１は、横材固定用ブラケット３１と同様、屋根２上に、第１方向を流れ方向に沿わせて配置される。横材固定用ブラケット４１の挿入固定部４３は、互いに上下に重なり合うスレート６間に挿入されて、接着剤により、その上下のスレート６に固定される。接着剤は、挿入固定部４３がスレート６間に差し込まれる前に、挿入固定部４３の両面に塗布されるか、および／または、スレート６間に注入される。一方、横材固定用ブラケット４１の架台固定部４４は、第１横鋼材１５または第２横鋼材１７に当接される。そして、架台固定部４４のビス穴４６にビスが挿通され、そのビスが第１横鋼材１５または第２横鋼材１７にねじ込まれることによって、架台固定部４４が第１横鋼材１５または第２横鋼材１７に固定される。
【００６０】
これにより、第１横鋼材１５および第２横鋼材１７は、横材固定用ブラケット３１，４１を介して、スレート６に固定される。
【００６１】
その結果、パネル用架台１１は、複数個の縦材固定用ブラケット２１および複数個の横材固定用ブラケット３１，４１を介して、スレート６に固定される。
【００６２】
＜作用効果＞
【００６３】
以上のように、パネル用架台１１は、縦材固定用ブラケット２１および横材固定用ブラケット３１，４１を用いて、スレート６に固定される。縦材固定用ブラケット２１は、挿入固定部２３および架台固定部２４を備えている。横材固定用ブラケット３１は、挿入固定部３３および架台固定部３４を備えている。横材固定用ブラケット４１は、挿入固定部４３および架台固定部４４を備えている。架台固定部２４，３４，４４は、パネル用架台１１に固定される。挿入固定部２３，３３，４３は、互いに上下に重なり合うスレート６間に挿入されて、接着剤により、その上下のスレート６に固定される。パネル用架台１１の重量が屋根２の棟３を跨ぐ両側で釣り合い、パネル用架台１１が流れ方向にずれにくいので、挿入固定部が接着剤によりスレート６に固定されていても、スレート６に対する挿入固定部の固定が外れるおそれがなく、また、スレート６が野地板８から剥がれるおそれがない。
【００６４】
そして、スレート６にビスなどの固定具を貫通させることなく、パネル用架台１１を屋根２（スレート６）に対して固定することができるので、従来必要とされたコーキング作業を不要とすることができ、パネル用架台１１の設置作業にかかる時間および手間を軽減することができる。また、ビスなどの固定具がスレート６に貫通されないので、その固定具を雨水が伝うことによる雨漏りの発生を抑制することができる。
【００６５】
さらには、上下のスレート６の間で挿入固定部２３，３３，４３が接着剤により固定されるので、その接着剤が日光および雨水などに曝されることによる劣化を抑制でき、接着剤による接合力を長期間にわたって維持することができる。
【００６６】
挿入固定部２３，３３，４３には、それぞれ厚さ方向に貫通する開口２５，３５，４５が形成されている。そのため、上下のスレート６が開口２５，３５，４５内で接着剤により互いに接合されるので、挿入固定部２３，３３，４３は、接着剤により上下のスレート６に固定されるとともに、開口２５，３５，４５内で上下のスレート６を接合する接着剤に係止される。よって、挿入固定部２３，３３，４３をスレート６に対して強固に固定することができ、縦材固定用ブラケット２１および横材固定用ブラケット３１，４１がスレート６に対してずれることを一層抑制することができる。さらに、上下に重なり合うスレート６が接着剤によって互いに固定されるので、上側のスレート６の下端部（鼻先）が捲れ上がることを抑制できる。
【００６７】
また、図６に示されるように、挿入固定部２３，３３，４３が挿入される部位に、スレート６を野地板８に固定するためのスレート固定用ビス９が配置されている場合には、挿入固定部２３，３３，４３をスレート６に固定するための接着剤がスレート固定用ビス９の部位に流れて、その接着剤により、スレート固定用ビス９とスレート６とを固定することができる。その結果、スレート６からスレート固定用ビス９が外れることを抑制でき、スレート６と野地板８との固定状態を良好に維持することができる。
【００６８】
＜変形例＞
【００６９】
以上、本発明の一実施形態について説明したが、本発明は、他の形態で実施することもできる。
【００７０】
たとえば、架台設置構造の一例として、縦材固定用ブラケット２１および横材固定用ブラケット３１，４１を用いて、パネル用架台１１がスレート６に固定される構造を取り上げた。架台設置構造は、かかる構造に限らず、複数個の縦材固定用ブラケット２１のみを用いて、パネル用架台１１がスレート６に固定される構造であってもよいし、縦材固定用ブラケット２１および横材固定用ブラケット３１を用いて、パネル用架台１１がスレート６に固定される構造であってもよいし、縦材固定用ブラケット２１および横材固定用ブラケット４１を用いて、パネル用架台１１がスレート６に固定される構造であってもよいし、横材固定用ブラケット３１，４１の一方または両方を用いて、パネル用架台１１がスレート６に固定される構造であってもよい。
【００７１】
また、架台設置構造が適用されるパネル用架台１１は、第１縦鋼材１４および第２縦鋼材１６の下側にそれぞれ第１横鋼材１５および第２横鋼材１７が配置される構成であってもよい。
【００７２】
さらに、縦材固定用ブラケット２１および横材固定用ブラケット３１，４１は、パネル用架台１１の固定以外に、アンテナなど、パネル用架台１１以外の設置物を屋根２に固定するために用いることができる。
【００７３】
また、屋根葺材（屋根材）は、スレート６に限らず、瓦など、スレート６以外の屋根葺材であってもよい。
【００７４】
パネルの一例として、ソーラパネル７を取り上げたが、パネルは、たとえば、太陽光を受光して温水を生成する太陽熱温水パネルであってもよい。その場合、平部４，５上に、太陽熱温水パネルが設置されてもよいし、平部４，５の一方上に、ソーラパネル７が設置され、他方上に、太陽熱温水パネルが設置されてもよい。
【００７５】
その他、前述の構成には、特許請求の範囲に記載された事項の範囲で種々の設計変更を施すことが可能である。
【符号の説明】
【００７６】
２    屋根
３    棟
６    スレート（屋根葺材）
７    ソーラパネル（パネル）
１１  パネル用架台（設置物）
２１  縦材固定用ブラケット
２３  挿入固定部
２４  架台固定部（設置物固定部）
２５  開口
３１  横材固定用ブラケット
３３  挿入固定部
３４  架台固定部（設置物固定部）
３５  開口
４１  横材固定用ブラケット
４３  挿入固定部
４４  架台固定部（設置物固定部）
４５  開口
【図１Ａ】
2017048607.tif 000003
【図１Ｂ】
2017048607.tif 000004
【図２Ａ】
2017048607.tif 000005
【図２Ｂ】
2017048607.tif 000006
【図３】
2017048607.tif 000007
【図４】
2017048607.tif 000008
【図５】
2017048607.tif 000009
【図６】
2017048607.tif 000010